(57)【要約】      （修正有）【課題】キリスト教式結婚式などで、ウェルカムボードとしても使用できるとともに、セレモニーの演出にも利用し易くした結婚証明書を提供する。【解決手段】透明のアクリル板からなる表板２２と該表板２２の裏側に重ね合わせる裏板２３を備える表示具２１と、該表示具２１の表板と裏板の間に挟み込まれるシート状の結婚証明書本体３１を有するとともに、結婚証明書本体３１と差し替え可能なウェルカムボード用紙４１が備えられ、上記表板２２の表面には、表板とは別体の装飾具２６を備えた結婚証明書１１。【選択図】図１
0003143327.tif 000002
【実用新案登録請求の範囲】
【請求項１】
透光性を有する表板と該表板の裏側に重ね合わせる裏板を備える表示具と、
該表示具の表板と裏板の間に挟み込まれるシート状の結婚証明書本体を有するとともに、
該結婚証明書本体と差し替え可能なウェルカムボード用紙が備えられた
結婚証明書。
【請求項２】
前記表示具が、アクリル板からなる表板および裏板と、これらの重合状態を保持する締結具で構成され、
該締結具のうち、表示具の下端側に配される締結具の裏板より裏側に突出する部分に、表板と裏板を傾斜状態に立てるために後方に延びる脚部が形成された
請求項１に記載の結婚証明書。
【請求項３】
前記表板の表面に、表板とは別体の装飾具を備えた
請求項１または請求項２に記載の結婚証明書。
【請求項４】
前記装飾具が、表板の表面の周縁部に重合する取り付け枠に固定されるとともに、
該取り付け枠には、表示具に対して着脱可能に係止する係脱部が形成された
請求項３に記載の結婚証明書。
【考案の詳細な説明】
【技術分野】
【０００１】
この考案は、キリスト教式結婚式などで用いられる結婚証明書に関し、より詳しくは、他の用途にも使用できるような結婚証明書に関する。
【背景技術】
【０００２】
結婚証明書は、新郎新婦や司式者、立会人が署名するペーパーアイテムであり、通常は１枚の紙で構成されて、見開きの電報用台紙やアルバムのような台紙に収納される。
【０００３】
この結婚証明書の様式に正式な決まりはなく、セレモニーの演出のためのものともいえるが、愛の証としての役割もあって、よく利用されている。特に、近年人気の人前式では、欠かすことのできないアイテムとなっている。また、用いられる結婚証明書としても、オリジナルのもの、手作りのものなどがある。
【０００４】
この結婚証明書は、挙式後は、額などに入れて飾られるほか、たんすなどに保管される。
【０００５】
結婚証明書としては、下記特許文献１、２、３に開示されているようなものがあるが、いずれも、上記の台紙に収納される結婚証明書と同じで、当事者の思い出として残せるようにしたものにすぎない。
【特許文献１】特開２００３−３４３６１号公報
【特許文献２】登録実用新案第３０８７６７１号公報
【特許文献３】登録実用新案第３０１７０３３号公報
【考案の開示】
【考案が解決しようとする課題】
【０００６】
結婚式に関しては、結婚証明書のほかにもいろいろなアイテムが必要となるが、その中に、ウェルカムボードというものがある。ウェルカムボードは、披露宴会場や二次会会場などの入り口や受付などに飾られる案内板である。床面に置く大きいのも、テーブルの上に置く小さいのもあるが、いずれも硬い板状に形成されている。そして近年は、似顔絵を描くなど、オリジナルの個性豊かなものが好まれている。
【０００７】
このウェルカムボードと上記の結婚証明書は、全く別の目的に使用されるものであって、別々に用意されていた。
【０００８】
しかし、新郎新婦にとって、複数のアイテムを用意するのには費用もかかるという難点があるうえに、台紙に入れた結婚証明書では、披露宴や二次会などのセレモニーにおいて列席者に見せるにしても見せにくく、演出には使用しにくいものであった。
【０００９】
そこで、この考案は、ウェルカムボードとしても使用できるとともに、セレモニーの演出にも利用し易くする結婚証明書の提供を主たる目的とする。
【課題を解決するための手段】
【００１０】
そのための手段は、透光性を有する表板と該表板の裏側に重ね合わせる裏板を備える表示具と、該表示具の表板と裏板の間に挟み込まれるシート状の結婚証明書本体を有するとともに、該結婚証明書本体と差し替え可能なウェルカムボード用紙が備えられた結婚証明書である。上記の表板は、全体が透光性を有するものであるも、部分的に透光性を有するものであるも、いずれでよい。
【００１１】
上記の表示具は、アクリル板からなる表板および裏板と、これらの重合状態を保持する締結具で構成され、該締結具のうち、表示具の下端側に配される締結具の裏板より裏側に突出する部分に、表板と裏板を傾斜状態に立てるために後方に延びる脚部が形成されたものであるとよい。
【００１２】
このような結婚証明書では、新郎新婦等が結婚証明書本体に署名した後、結婚証明書本体を表板と裏板の間に挟み込む。すると、表板と裏板によって、結婚証明書本体を汚さないように保護できるとともに、表板を通して結婚証明書本体の内容が明瞭に視認できる。特に、表板と裏板がアクリル板からなる場合には、結婚証明書をきれいに見せることができるうえに、たとえ落としても割れることがなく、扱いが容易である。しかも、締結具に脚部が形成されると、結婚証明書を見易い状態に容易に立てることが可能となる。
【００１３】
そして、結婚証明書本体に代えてウェルカムボード用紙を表板と裏板の間に挟み込めば、ウェルカムボードとしても使用できる。ウェルカムボード用紙には、手書きやプリント、写真等の貼り付けなどによって、簡単にオリジナルのウェルカムボード用紙を作成することができ、思い出に残るセレモニーに仕上げることが可能となる。
【００１４】
なお、上記の表板の表面には、表板とは別体の装飾具を備えるとよい。装飾具としては、造花や生花、ぬいぐるみなど、適宜のものを使用できる。別体であるので、装飾が容易で、自由に多様な装飾が可能である。
【００１５】
装飾具は、表板に固定されるものでも、着脱可能に備えられるものであるも、いずれでもよい。後者の場合には、たとえば、再粘着性の粘着層を有した取り付け部に装飾具を固定し、表示具に対して着脱可能とするものであるとよいが、この他にも、たとえば装飾具を、表板の表面の周縁部に重合する取り付け枠に固定するとともに、該取り付け枠に、表示具に対して着脱可能に係止する係脱部を形成するもよい。係脱部は、樹脂の可撓性や柔軟性を利用して構成できる。この場合には、取り付け枠を有するので、装飾具の全体をきれいに整った状態に飾り付けることができるのでよい。
【考案の効果】
【００１６】
以上のように、この考案によれば、新郎新婦等が署名した結婚証明書本体を、汚れないように保護できるうえに、列席者に見易くすることができる。このため、披露宴や二次会において列席者に結婚証明書本体をみせることが可能であるとともに、結婚証明書本体をセレモニーの演出の中で使用することもできる。
【００１７】
しかも、セレモニーが始まるまでの間は、結婚証明書本体に代えて、ウェルカムボード用紙を入れておけば、ウェルカムボードとして使用することができる。このため、一つのアイテムを効率よく利用することが可能で、経済的である。
【００１８】
特に、表板と裏板がアクリル板からなる場合には、結婚証明書をきれいに見せることができるうえに、たとえ落としても割れることがなく、扱いが容易であって、多様な演出を考えることができる。しかも、締結具に脚部を形成した場合には、なんの支えがなくとも表示具を立てることができ、この点からも扱いが容易となる。また、脚部は締結具に形成されているので、脚部が必要ないときには、締結具の一部のみを脚部のないものに交換すればよく、容易に自由な使用ができる。
【００１９】
また、表板の表面に、表板とは別体の装飾具を備えると、結婚証明書本体やウェルカムボード用紙の装飾を適宜行うことができ、セレモニー等の雰囲気にふさわしい美麗な状態を自由に得ることができる。
【００２０】
しかも、装飾具を着脱可能にした場合には、装飾具のみを交換することもできる上に、必要でない場合には取り外して使用することもできて便利である。
【００２１】
さらに、この装飾具と、上記の結婚証明書本体およびウェルカムボード用紙によって、より簡単にオリジナルの結婚証明書やウェルカムボードを得ることができ、これから望まれる結婚式にふさわしいアイテムとすることが可能である。
【考案を実施するための最良の形態】
【００２２】
この考案を実施するための一形態を、以下図面を用いて説明する。  
図１は、結婚証明書１１を示す斜視図であり、この図に示すように結婚証明書１１は、たてなが長方形の表示具２１と、これの内部に収納されるシート状の結婚証明書本体３１とを有するとともに、結婚証明書本体と差し替え可能なウェルカムボード用紙４１を備えている。
【００２３】
表示具２１は、図２に示したように、透明のアクリル板からなる同形の表板２２および裏板２３と、これらの重合状態を保持する締結具とを有する。
【００２４】
締結具は、雄ねじ部材２４と、この雄ねじ部材２４の雄ねじ２４ａに螺合されるナット部材２５とからなる。このため、表板２２および裏板２３の四隅には貫通孔２２ａ，２３ａが形成されている。すなわち、表板２２と裏板２３の重合状態の保持は、表板２２の表面側から雄ねじ部材２４の雄ねじ部２４ａを挿入し、雄ねじ部材２４の頭部２４ｂを表板２２の表面に係止した状態で裏板２３の裏側に突出した雄ねじ部２４ａにナット部材２５を螺合して行う。
【００２５】
４個のナット部材２５のうち、表示具２１の下端側に配される２個のナット部材２５には、表板２２と裏板２３を傾斜状態に立てるために後方に延びる脚部２５ａが形成されている。
【００２６】
また、表板２２の表面の周縁部には、装飾具２６が固定されている。装飾具２６は、造花、生花、ぬいぐるみや切り抜いたシート、成形品、生地、などの適宜のものが使用できる。図示例では、細幅レース地２６ａを表板２２の表面に接着により固定するとともに、その上に造花２６ｂを接着剤により固定している。
【００２７】
上記の結婚証明書本体３１は、表板２２や裏板２３よりも小さい長方形状で、表面に、「結婚証明書」等の必要な文字等３１ａが印刷されている。この印刷文字等３１ａに代えて、または加えて、手書き等で適宜の文字や図柄等を記載することもできる。
【００２８】
ウェルカムボード用紙４１は、表面の上側部分に「Ｗｅｌｃｏｍｅ」等の必要な文字等４１ａを記載し、下側部分に自由に書き込みや貼り付けができる空白部分４１ｂをあけておく。この空白部分４１ｂには使用者が好みに応じて自由な記載等をすることによって、オリジナルのウェルカムボードを得ることができる。
【００２９】
なお、結婚証明書本体３１もウェルカムボード用紙４１も、白地のままであるも、図柄や色彩のみをプリントした白地様のものであるもよい。
【００３０】
このように構成した結婚証明書では、新郎新婦等が結婚証明書本体３１に署名した後、結婚証明書本体３１を表板２２と裏板２３の間に挟み込む。すると、表板２２と裏板２３によって、結婚証明書本体３１が汚れないように保護できるとともに、表板２２を通して結婚証明書本体３１の内容が明瞭に視認できる。しかも、表板２２と裏板２３が透明のアクリル板からなるので、結婚証明書本体３１をきれいに見せることができるうえに、たとえ落としても割れることがなく、扱いが容易である。
【００３１】
このため、披露宴や二次会において列席者に結婚証明書本体３１をみせることが、より現実的であるとともに、結婚証明書本体３１をセレモニーの中で使用することもできる。
【００３２】
また、締結具を構成するナット部材２５に、裏板２３よりも後方に延びる脚部２５ａが形成されているので、結婚証明書を見易い状態に立てることが容易に行え、なんの支えがない場所でも表示具を立てることができ、この点からも扱いが容易となる。
【００３３】
そして、披露宴や二次会が始まるまでの間は、結婚証明書本体３１に代えて、ウェルカムボード用紙４１を入れて、ウェルカムボードとして使用する。つまり、結婚証明書本体３１に代えてウェルカムボード用紙４１を表板２２と裏板２３の間に挟み込む。図３が、ウェルカムボード用紙４１を入れてウェルカムボードとして使用する状態を示す斜視図である。このため、一つのアイテムを効率よく利用することが可能で、経済的である。
【００３４】
しかも、ウェルカムボード用紙４１には、手書きやプリント、写真等の貼り付けなどをすることによって、簡単にオリジナルのウェルカムボードにすることができ、思い出に残るセレモニーに仕上げることが可能となる。
【００３５】
さらに、表板２３の表面には、表板２２とは別体の装飾具２６が備えられているので、美麗に飾りあげることができ、列席者の目を惹く美しさを得ることもできる。特に表板２２とは別体であるので、表板２２に直接掘り込んだり、成形したりする場合に比して、多様な装飾が容易に行える。
【００３６】
披露宴や二次会が終わった後は、結婚証明書本体３１を入れて飾っておくとよい。また、結婚証明書本体３１は別途に保管し、たとえば図４に示したように、写真５１を挟み込んで使用することもできる。このように、一つのものをその時々に応じて自由に使用できる。
【００３７】
なお、装飾具２６は、上述のように表板２２に直接固定されるものであるほか、着脱可能に備えられるものであるもよい。
【００３８】
図５は着脱可能な装飾具２６の例を示す斜視図、図６は側面図であり、これらの図に示すように、装飾具２６は、表板２３の表面の周縁部に重合する可撓性を有した合成樹脂製で薄い長方形枠状の取り付け枠２６ｃの表面に固定されている。この取り付け枠２６ｃの外側の４辺の長さ方向の中間部には、表示具２１に対して着脱可能に係止するＬ字形の係脱部２６ｄが形成されている。係脱部２６ｄは、重ね合わされた表板２２と裏板２３を外側から抱えるように引っ掛かるもので、取り付け枠２６ｃと同様に可撓性を有する合成樹脂により形成されている。係脱部２６ｄは取り付け枠２６ｃに対して別体または一体に、軟質のゴムで形成することもできる。
【００３９】
このように構成した装飾具２６では、図６に示したように、互いに重合された表板２２と裏板２３に対して表側から嵌めれば、取り付けが完了する。
【００４０】
取り付け枠２６ｃを有するので、装飾具２６の全体をきれいに整った状態に飾り付けることができる。
【００４１】
しかも、好みに応じて装飾具２６のみを交換することもできる。また、図４に示したごとく結婚式の一連のセレモニーが終わった後に写真立てとして使用する場合には、必要がなければ外すことができる。
【００４２】
以上は、この考案を実施するための一形態であって、その他の形態を採用することもできる。たとえば、表板と裏板は長方形でなくともよく、また、装飾具を備える位置は表板の全周でなくともよい。
【図面の簡単な説明】
【００４３】
【図１】結婚証明書の斜視図。
【図２】結婚証明書の分解状態の側面図。
【図３】結婚証明書をウェルカムボードとして使用する状態の斜視図。
【図４】結婚証明書の他の使用状態の斜視図。
【図５】他の例に係る装飾具の斜視図。
【図６】図５の装飾具を備える結婚証明書の側面図。
【符号の説明】
【００４４】
１１…結婚証明書
２１…表示具
２２…表板
２３…裏板
２４…雄ねじ部材
２５…ナット部材
２５ａ…脚部
２６…装飾具
２６ｃ…取り付け枠
２６ｄ…係脱部
３１…結婚証明書本体
４１…ウェルカムボード
【図１】
0003143327.tif 000003
【図２】
0003143327.tif 000004
【図３】
0003143327.tif 000005
【図４】
0003143327.tif 000006
【図５】
0003143327.tif 000007
【図６】
0003143327.tif 000008